(57)【要約】      （修正有）【課題】着用者に優れた冷却効果を与える空調衣服を提供する。【解決手段】衣服用ファンを取り付けて衣服内に空気を送風可能な空調衣服１であって、後方下側の左右に設けられた一対の衣服用ファン取付用孔２ａ、２ｂと、後方襟部に設けられた収納部４ａと、収納部に出し入れ可能に収納される長尺状の形状保持材と、を具備する。【選択図】図１
0003224973.tif 000002
【実用新案登録請求の範囲】
【請求項１】
衣服用ファンを取り付けて衣服内に空気を送風可能な空調衣服であって、
後方下側の左右に設けられた一対の衣服用ファン取付用孔と、
後方襟部に設けられた収納部と、
前記収納部に出し入れ可能に収納される長尺状の形状保持材と、
を具備することを特徴とする空調衣服。
【請求項２】
前記形状保持材が樹脂製形状保持ワイヤーであること、を特徴とする請求項１に記載の空調衣服。
【考案の詳細な説明】
【技術分野】
【０００１】
本考案は、着用者の身体を好適に冷却可能な空調衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られるようになってきている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【０００４】
空調衣服に備えられている衣服用ファンは、概ね衣服の後身頃における下部近傍に固定されている。使用者は空調衣服を着用し、衣服用ファンを駆動することによって、衣服と、身体又は下着と、の間に外気を取り入れ続けることができ、身体の表面に沿って常時外気が流れる状態になる。これにより、身体が必要とする放熱量に応じて排出される汗を気化させることができ、気化熱を奪うことで身体の冷却を可能とするものである。
【先行技術文献】
【特許文献】
【０００５】
【特許文献１】国際公開第０２／０６７７０８号パンフレット
【考案の概要】
【考案が解決しようとする課題】
【０００６】
しかしながら、従来の空調衣服は、概ね外部の空気を衣服内部に引き込むのみの構造であるため、引き込まれた空気の一部は衣服内部から首部、腰部、袖部の概ね３カ所の開口から外部へ放出されるが、大半は衣服内部で滞留していた。このため、衣服内部の空気は徐々に体温で温められてしまい、冷却効果を著しく低下させてしまうおそれがあった。
【０００７】
そこで、本考案の目的は、上記問題に鑑みて創作されたものであり、着用者に優れた冷却効果をより確実に与えることのできる空調衣服を提供することにある。
【課題を解決するための手段】
【０００８】
上記の課題を解決すべく、本考案は、
衣服用ファンを取り付けて衣服内に空気を送風可能な空調衣服であって、
後方下側の左右に設けられた一対の衣服用ファン取付用孔と、
後方襟部に設けられた長尺状収納部と、
前記収納部に出し入れ可能に収納される形状保持材と、
を具備することを特徴とする空調衣服、
を提供する。
【０００９】
このような構成を有する本考案の空調衣服は、衣服用ファンを取り付けて外部の空気を空調衣服の内部に引き込み、着用者の上半身と空調衣服との隙間に空気を引き込むことができる。また、後方襟部の収納部に収納される長尺状の形状保持材を曲げることによって、空気の通り道を積極的につくることができるため、空気を首元の隙間から外部により確実に放出させることができ、背筋の下方から上方に流れる気流を形成し、着用者に対して精神的及び身体的な冷却効果を与えることが可能となる。
【００１０】
上記の本考案の空調衣服においては、前記形状保持材が樹脂製形状保持ワイヤーであること、が好ましい。
【００１１】
このような構成を有する本考案の空調衣服は、軽量で上記のような作用効果を奏することができ、有効である。
【考案の効果】
【００１２】
本考案によれば、着用者に優れた冷却効果をより確実に与える空調衣服を提供することができる。
【図面の簡単な説明】
【００１３】
【図１】本考案の一実施形態に係る空調衣服１の概要を示す図であって、（ａ）は空用衣服１の正面図であり、（ｂ）は空調衣服１の背面図である
【図２】空調衣服１の後方襟部４の収納部４ａに形状保持材６を挿入する様子を示す図である。
【図３】空調衣服１の機能を説明するための後方斜視図からなる模式図であって、（ａ）は空気の流れを示し、（ｂ）は形状保持材６を曲げて空気の通り道をつくる様子を示し、（ｃ）は当該通り道を空気が通って外部に放出される様子を示す。
【考案を実施するための形態】
【００１４】
以下、本考案に係る空調衣服の代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１５】
図１は、本考案の一実施形態に係る空調衣服１の概要を示す図であって、図１（ａ）は空用衣服１の正面図であり、図１（ｂ）は空調衣服１の背面図である。図１に示すように、空調衣服１は、後方下側の左右に設けられた一対の衣服用ファン取付用孔２ａ，２ｂと、後方襟部４に設けられた収納部４ａと、を具備している。
【００１６】
そして、図２は、空調衣服１の後方襟部４の収納部４ａに形状保持材６を挿入する様子を示す図である。図２に示すように、空調衣服１の後方襟部４には、後方襟部４の長さ方向に沿って長方形状の収納部４ａが設けられており、この収納部４に長尺状の形状保持材６が出し入れ可能となっている。
【００１７】
形状保持材６としては、少なくとも一部を鋭角に又乃至は湾曲状に折り曲げて、略Ω状乃至は略逆Ｖ字状の部分を形成することができ、かつ当該部分を保持することができ、また、可逆的に元の長尺状に延ばすことができるものであれば、種々のものを用いることができる。例えば、樹脂製形状保持ワイヤーや金属製板材を用いることができる。
【００１８】
収納部４ａは、後方襟部４に別個の部材として縫製等により取り付けてもよく、また、後方襟部４を二重構造としておきその内部に収納部４ａを設けてもよい。また、収納部４ａの開口部には、図示しないが、例えば面ファスナやボタン等を設けて、開閉可能な構造としておくのが好ましい。
【００１９】
次に、図３は、空調衣服１の機能を説明するための後方斜視図からなる模式図であって、（ａ）は空気の流れを示し、（ｂ）は形状保持材６を略Ω状乃至は略逆Ｖ字状に曲げて空気の通り道（風道）８をつくる様子を示し、（ｃ）は当該通り道８を空気が通って外部に放出される様子を示す。
【００２０】
空調衣服１の後方下側の左右に設けられた一対の衣服用ファン取付用孔２ａ，２ｂには、図３（ａ）に示すように、それぞれ衣服用ファン２Ａ，２Ｂが取り付けられ、矢印で示されるように空調衣服１内に空気を送風可能な構成となっている。
【００２１】
図３（ｂ）に示すように、この後方襟部４の収納部４ａに内蔵された形態保持材６を、例えば略Ω状乃至は略逆Ｖ字状に曲げることによって、空気の通り道８を形成することができ、図３（ｃ）に示すように、空気を通り道８を通して外部に確実に放出させることができる。
【００２２】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【産業上の利用可能性】
【００２３】
本考案の空調衣服は、高所作業用安全帯の機能を損なうことなく重ねて着用可能で、着用者に対して優れた冷却効果を与えるものであり、建設現場等における作業用途をはじめ、釣りやキャンプ等のレジャー用途にも対応可能である。
【符号の説明】
【００２４】
１          空調衣服
２ａ，２ｂ  衣服用ファン取付用孔
２Ａ，２Ｂ  衣服用ファン
４          後方襟部
４ａ        収納部
６          形状保持材
８          通り道。
【図１】
0003224973.tif 000003
【図２】
0003224973.tif 000004
【図３】
0003224973.tif 000005